(57)【要約】【課題】従来、初心者、子供や高齢者など身体的弱者、特に障害者が乗馬を楽しむ場合、落馬等の事故から乗馬者を守るため、乗馬経験者が馬に取付けた鞍本体の鞍上部に上馬者を抱くようにして同乗するか、馬のサイドに同行して乗馬者の動きを看視し続けねばならなかった。本発明は、前記乗馬者が、乗下馬時を除き、同乗者や看視者なしで１人で安全に乗馬を楽しめる乗馬用鞍を提供する。【解決手段】本発明の乗馬用鞍は、鞍本体１と、該鞍本体１上に設けた腰掛部７０と、該腰掛部７０の後端に設けた背凭部８０と、有することを特徴とする。乗馬者は、背凭部８０があるので、ここに寄り掛かることで、楽な姿勢で乗馬できる。背凭部８０に保持部材５１や止具５４を設けることで、障害者でも落馬の心配なく乗馬できる。【選択図】　図５
2004121708.tif 000002
【特許請求の範囲】
【請求項１】
鞍本体と、
該鞍本体上に設けた腰掛部と、
該腰掛部の後端部に設けた背凭部と、
を有することを特徴とする乗馬用鞍。
【請求項２】
上部に鞍上部を設けた鞍本体と、
該鞍本体の後端部に設けた背凭部と
を有することを特徴とする乗馬用鞍。
【請求項３】
前記鞍本体、腰掛部、背凭部の何れか１つ或は任意の組合せに、乗馬者の身体を保持する保持部材を設けたことを特徴とする請求項１又は２記載の乗馬用鞍。
【請求項４】
前記背凭部が、鞍本体に設け、鞍本体を所定の形状に保持する鞍橋の後端部に設けてあることを特徴とする請求項１乃至３の内１項記載の乗馬用鞍。
【請求項５】
前記鞍本体或は腰掛部の前方にハンドルを設けたことを特徴とする請求項１乃至４の内１項記載の乗馬用鞍。
【請求項６】
前記鞍本体の両側或は腰掛部の前端部両側に垂下し、乗馬者の足を載せる足載部を有することを特徴とする請求項１乃至５の内１項記載の乗馬用鞍。
【発明の詳細な説明】
【０００１】
【発明の属する技術分野】
本発明は、乗馬用鞍に関し、初心者、子供や高齢者等身体的弱者、殊に障害者等が介添え者なしで１人で乗馬を楽しむための乗馬用鞍に関するものである。
【０００２】
【従来の技術】
従来の乗馬用鞍は、上部に乗馬者が乗る鞍上部を有する鞍本体と、鞍本体の両側に垂下した環状の鐙と、鞍本体に取つけた腹帯とを有し、この腹帯により鞍本体を馬体に取付ていた。従って、乗馬用鞍には、乗馬者を鞍の上に保持する構造にはなっておらず、乗馬者自身が馬の動きに合わせて身体のバランスを取りながら乗馬していた。
【０００３】
【発明が解決しようとする課題】
従来の乗馬用鞍を使い乗馬するに際し、馬上で十分に身体のバランスを取り難い初心者、身体的弱者、殊に障害者等が乗馬する場合、一般に以下のようにしていた。落馬等の事故から乗馬者を守るため、乗馬経験者が、馬に取付けた鞍本体の鞍上部に乗馬者を抱くようにして同乗するか、馬のサイドに同行して乗馬者の動きを看視し続けねばならなかった。
【０００４】
本発明は、初心者、児童や高齢者等身体的弱者、殊に障害者等が、乗下馬時を除き、同乗者や看視者なしで１人で安全に乗馬を楽しめる乗馬用鞍を提供することを目的としている。
【０００５】
【課題を解決するための手段】
本発明の乗馬用鞍は、鞍本体と、鞍本体上に設けた腰掛部と、腰掛部の後端部に設けた背凭部と、を有することを特徴とし、上部に鞍上部を設けた鞍本体と、鞍本体の後端部に設けた背凭部と、で構成しても良い。
【０００６】
前記構成の鞍本体、腰掛部、背凭部の何れか１つ或は任意の組合せに、乗馬者の身体を保持する保持部材を設けたり、背凭部を、鞍本体に設け、鞍本体を所定の形状に保持する鞍橋の後端部に設けたり、鞍本体或は腰掛部の前方にハンドルを設けたり、鞍本体の両側或は腰掛部の前端部両側に垂下し、乗馬者の足を載せる足載部を設けたりできる。
【０００７】
従来の一般的乗馬用鞍は、鞍本体の上部に鞍上（アンジョウ）部を有し、この鞍上部の形状は、オートバイのサードルのような形状に形成され、後端が斜め上方向に扇状に広がっている。鞍本体は、馬が歩き或は走る度に千変万化する乗馬人から受ける圧力を吸収し分散するためのものであり、内部に鞍橋（クラボネ）を有している。鞍橋の下には、馬体を保護する鞍褥（アンジョク）が取りつけられており、鞍橋の上には、障（アオリ）が取りつけられ、障上は乗馬者が乗る鞍上部となっている。
【０００８】
更に詳述する。鞍本体は、乗馬者の体重が馬の背骨に掛かり背骨を損傷することがない形状の鞍橋と、鞍橋から受ける衝撃を緩和するため鞍橋の下に取りつけた鞍褥と、乗馬者が乗馬し易いように鞍橋上に取りつけた障と、を有している。鞍橋の中央部には、鞍本体を馬体に取りつける腹帯が設けてあり、腹帯を取りつけた鞍橋の中央部近傍には、鐙取付金具が設けられ小障で覆われている。鐙取付金具には、先端に環状の鐙が設けられた托革が取り付けられている。
【０００９】
馬の背骨を保護する鞍橋は、馬の背骨に当たらないように大きく湾曲した前端の扁平な前橋部と、後端が斜め上方に扇状に広がる扁平な後橋部と、前橋部と後橋部の両側を連結する扁平枠体とを有している。
【００１０】
鞍褥は、左右の２片で形成され、鞍橋の下に取り付けてある。この鞍褥は、中央部が前橋部と後橋部に固定され、ハの字状に垂下した両端は自由端である。
【００１１】
障は、前記２片の鞍褥を合わせた形状と略同形状であり、鞍橋上に取り付けられている。この障は、前記鞍褥とにより鞍橋を包み、縦長方向の中央線で鞍褥と固定してあり、ハの字状に垂下した両端が自由端である。前記腹帯の上方部と小障に覆われた鐙取付金具は、この障に覆われている。
【００１２】
【発明の実施の形態】
以下、本願発明の実施例を図面に従って説明する。図１の分解斜視図、図２の要部拡大分解斜視図、図３の要部拡大分解斜視図、図４の要部拡大縦断面図に示すように、人が乗馬するための鞍本体１を設ける。鞍本体１は、馬体が乗馬者から受ける圧力や衝撃を吸収し分散させる鞍橋１０と、鞍橋１０の下に取り付けられ馬体が受ける鞍橋１０からの衝撃を緩和させる鞍褥２０と、鞍橋１０の上に取り付けられ、上部に乗馬者が乗る鞍上部３１を有する障３０とを有する。
【００１３】
前記鞍橋１０は、前橋部１１と、後橋部１２と、前橋部１１と後橋部１２の両側を繋ぐ枠体１３とを有している。前橋部１１は、馬の背骨に当たらないように大きく湾曲した扁平な板状に形成してあり、両側がハの字状に垂下し馬の肩近傍に面接触するようになっている。後橋部１２は、馬の背骨に当たらないように少し湾曲させてあり、後端が斜め後方の上方に向って扇状に広がる扁平な板状に形成してある。枠体１３は、前橋部１１と後橋部１２の両側を連結する扁平な板状に形成してある。
【００１４】
このように前橋部１１と後橋部１２とを湾曲させ、前橋部１１と後橋部１２の両側を枠体１３で連結した鞍橋１０は、馬に乗せても背骨に当たらず、背骨の両側に面接触するようになっている。又、鞍橋１０全体が扁平な板状の枠が環状に形成してあるから、可撓性を有し、鞍本体１上に乗馬した人の体重により受ける馬体への圧力が、鞍橋１０全体に吸収されると共に分散され、馬体を損傷しない。又、前記のように、鞍橋１０が可撓性を有しているので、乗馬者の体重による圧力で変形した鞍橋１０は、圧力が無くなれば速やかに元の形状に復元する。
【００１５】
前記鞍褥２０は、左右一対の革で形成し、上端を前記前橋部１１と後橋部１２の中央に取り付け、振分状に左右に垂下し、下端は自由端である。この鞍褥２０は、鞍橋１０や鐙取付金具４１、足載部４３などが馬体に当たらない形状と大きさであり、馬体を保護するものである。
【００１６】
前記鞍橋１０の枠体１３には、鞍本体１を馬体に取り付ける托革即ち革帯からなる腹帯４０が、鞍本体１の前後方向と直交する方向に取り付けてある。枠体１３に取り付けた腹帯４０の前方で、前橋部１１と枠体１３の接続部近傍には、鐙取付金具４１が設けてあり、腹帯４０の取付部と共に小障４２で覆われている。鐙取付金具４１には、環状の鐙の代わりに足を載せるだけの板状の足載部４３を取り付ける。足載部４３は、托革の先端に平板な板が水平に取り付けてあり、取付け位置を上下動したり、托革自体を伸縮できるようにし、乗馬者の足の長さに合わせられるようにしてある。
【００１７】
前記障３０は、鞍橋１０の上に取付け、形状と大きさは、前記鞍橋１０の下に取り付けた２片の鞍褥２０を合わせたものと略同じ形状と大きさである。障３０は、前記鞍橋１０及び鞍橋１０下の鞍褥２０と中央で縦方向に固定する。又、障３０の垂下した両端も自由端であり、前記小障４２を覆っている。この障３０の上部即ち鞍本体１の上部が鞍上部３１である。
【００１８】
前記鞍橋１０の後端の扇状の後橋部１２後方に上方向に向う背凭部５０を設ける。この背凭部５０は、後橋部１２と一体で形成しても良いし、別途形成してネジやボルトなどの取付け部材により後橋部１２に取り付けても良い。背凭部５０に乗馬者の身体を保持する保持部材５１を設ける。この保持部材５１は、乗馬者の落馬防止用安全装置であり、乗馬者の身体を鞍本体１に括りつけ保持するものである。
【００１９】
保持部材５１の１形態を詳述する。背凭部５０の両側に、乗馬者の腕を通し肩を保持できる第１のベルト５２を設けている（学童のランドセルのベルト状）。この両第１のベルト５２の下方部で乗馬者の腹部近傍の位置に、両第１のベルト５２を連結する第２のベルト５３を設けている。この第２のベルト５３は、止具５４により伸縮自在に固定できるようになっている。尚、保持部材５１の形状は、落馬防止のため鞍本体１或は背凭部５０に乗馬者の身体を保持できれば如何なる形状であっても良く、両端を鞍本体１の両側に取付けたベルトや鞍本体１と背凭部５０に両端を襷状に取付けたベルトなど種々考えられ、図示したものに拘らない。
【００２０】
前記鞍橋１０の前方にハンドル６０が設けられている。このハンドル６０は、乗馬者が掴まるためのものであり、前橋部１１の上端に前方に向けて突設した棒体６１の先端に回動自在な把持部６２を取付けたものである。棒体６１の先端には、筒体６３が設けてあり、把持部６２は、両翼に広がる把持６４と、上方に突出した係止部６５と、下方に垂下した軸６６とを有し、筒体６３に軸６６が水平方向に回動自在に挿入してある。把持部６２の係止部６５には馬の口に取り付けたハミに連結した手綱を係止できるようになっており、把持部６２を回動することで馬の進路を制御できるものである。尚、手綱を引っ張ることにより馬の進路を制御できるから、把持部６２に手綱を係止できなくとも良い。
【００２１】
図３の分解斜視図、図４の要部拡大縦断面図に示すように、棒体６１の先端に設けた筒体６３を軸６７により縦方向に回動自在に取付けることが望ましい。この回動自在に設けた筒体６３に軸６６を挿入した把持部６２を後方に回動すると手綱が引っ張られ、馬を停止させることができる。図では、筒体６３を回動自在に取付けているが、筒体６３を棒体６１の前後方向に進退動自在に摺動させても良い。
【００２２】
上記構成の乗馬用鞍は、鞍本体１或は鞍橋１０の後端に背凭部５０を設けたので乗馬者殊に障害者が背凭部５０に寄り掛かれるから、楽な姿勢で乗馬でき、１人でも安全に乗馬を楽しめる。又、背凭部５０に保持部材５１を設けたので、乗馬者の身体を背凭部５０に保持できるから、落馬の心配がなく大変安全である。
【００２３】
更に、鞍本体１或は鞍橋１０の前方にハンドル６０を設けたので、乗馬者が掴まることができ更に安全になった。このハンドル６０を回動自在に設けたときは、手綱をハンドルに係止すると、ハンドル６０の回動により馬の進路を制御できるから、乗馬が一層楽しくなった。その上、環状の鐙の代わりに板状の足載部４３を設けたので、鞍上部３１に乗り足載部４３に単に足を載せるだけで乗馬できるから、乗馬者特に障害者にとって乗馬が大変楽になった。
【００２４】
図５の分解斜視図に示すように、鞍本体１上に別途形成した背凭部５０付き腰掛部７０を、図示しないネジ、ボルト等の取付け部材により取付けることもできる。当然、背凭部５０には保持部材５１を、鞍本体１の前方には、ハンドル６０を設けることができる。
【００２５】
図６の要部拡大分解斜視図に示すように、後端に背凭部５０を有し、前方にハンドル６０を有し、前端部両側に足載部８１を有する腰掛部８０を設ける。この足載部８１は、乗馬者の足の長さに合わせ上下動できるように形成してある。背凭部５０の両側に保持部材５１を設ける。前鞍部１１と後鞍部１２上に取付け部材９１，９２を設ける。鞍橋１０の下に鞍褥９５を設ける。図示しないネジなどの取付具により腰掛部７０の下に鞍橋１０の取付け部材９１，９２を取付ける。鞍褥９５の前後の中央を鞍橋１０の前橋部１１と後橋部１２に取付けると共に腰掛部８０の下面に取付ける。
【００２６】
上記構成の図５、図６の乗馬用鞍は、第１実施例の乗馬用鞍と同様の作用効果を有している。
【００２７】
尚、鞍本体、鞍橋、背凭部、ハンドルのみならず腰掛部、足載部等の形状は、図示した形状に拘るものではなく、夫々の構成の目的に添う形状であれば、如何なる形状であっても良い。
【００２８】
【発明の効果】
本願発明の乗馬用鞍は、鞍本体或は鞍橋の後方に背凭部を設けたので、乗馬時に乗馬者が背凭部に寄り掛かれるので楽な姿勢で乗馬でき安全である。
【００２９】
又、背凭部や鞍橋本体に保持部材を設けたので、乗馬者特に障害者の身体を背凭部や鞍本体に括りつけたり保持できるから、落馬の心配がなく大変安全である。
【００３０】
鞍本体或は鞍橋の前方にハンドルを設けたので、乗馬者特に障害者がハンドルに掴まって乗馬できるから安定感があり安心して乗馬できる。
【００３１】
環状の鐙の代わりに板状の足載部を設けたので、鞍上部に乗り或は腰掛部に腰を掛け、足載部に足を載せるだけで乗馬でき、特に身体が不自由な障害者にとって大変楽である。
【図面の簡単な説明】
【図１】本発明に係る乗馬用鞍の分解斜視図である。
【図２】本発明に係る乗馬用鞍の要部拡大分解斜視図である。
【図３】本発明に係る乗馬用鞍の要部拡大分解斜視図である。
【図４】本発明に係る乗馬用鞍の要部拡大縦断面図である。
【図５】本発明に係る乗馬用鞍の分解斜視図である。
【図６】本発明に係る乗馬用鞍の要部拡大分解斜視図である。
【符号の説明】
１　　　　　鞍本体
１０　　　　　鞍橋
１１　　　　　前橋部
１２　　　　　後橋部
１３　　　　　枠体
２０　　　　　鞍褥
３０　　　　　障
３１　　　　　鞍上部
４０　　　　　腹帯
４１　　　　　鐙取付金具
４２　　　　　小障
４３　　　　　足載部
５０　　　　　背凭部
５１　　　　　保持部材
５２　　　　　第１のベルト
５３　　　　　第２のベルト
５４　　　　　止具
６０　　　　　ハンドル
６１　　　　　棒体
６２　　　　　把持部
６３　　　　　筒体
６４　　　　　把持
６５　　　　　係止部
６６　　　　　軸
６７　　　　　軸
７０　　　　　腰掛部
８０　　　　　腰掛部
８１　　　　　足載部
９１，９２　　　　　取付け部材
９５　　　　　鞍褥
【図１】
2004121708.tif 000003
【図２】
2004121708.tif 000004
【図３】
2004121708.tif 000005
【図４】
2004121708.tif 000006
【図５】
2004121708.tif 000007
【図６】
2004121708.tif 000008